(57)【要約】【課題】別々に形成されたシール部材と保持板とカバーとからなる直動案内装置のサイドシールとして、案内レールの上面にレールカバーが配置されている場合と配置されていない場合で、シール部材を交換せずに使用できるものを提供する。【解決手段】シール部材１の上側シール部１ａの基部は、保持板２と凹凸の嵌め合いで係合する保持板係合部１２１，１２３ａを厚さ方向の一面１３に有し、厚さ方向の他面１４に、カバー１と凹凸の嵌め合いまたは面同士の接触により上下方向の複数位置で係合するカバー係合部１２４，１４を有する。保持板３の上板部２ａは、保持板係合部１２３ａを上下方向の複数位置で保持可能なシール保持部２９１，２９２を有する。 カバー３の上側部３１は、カバー係合部１２４，１４と係合するシール係合部３３を有する。【選択図】図７
2015178841.tif 000002
【特許請求の範囲】
【請求項１】
別々に形成されたシール部材と保持板とカバーとを有し、直動案内装置を構成するスライダのスライダ移動方向端部に固定して使用され、
前記保持板は前記カバーよりも前記スライダ側に配置され、前記シール部材は前記保持板と前記カバーとの間に配置され、
前記シール部材は、前記直動案内装置を構成する案内レールの上面に接触させるリップ部を有する上側シール部と、案内レールの各側面に接触させるリップ部を有する各側方シール部とからなり、
前記上側シール部および側方シール部は、前記保持板に保持される基部を有し、
前記保持板は、前記案内レールの上面および両側面と隙間を開けて対向する上板部および両側板部からなり、
前記カバーは、前記案内レールの上面および両側面と隙間を開けて対向する上側部および両側方部からなり、
前記上側シール部の基部は、前記保持板の前記上板部と凹凸の嵌め合いにより上下方向の複数位置で係合する保持板係合部を厚さ方向の一面に有するとともに、厚さ方向の他面に、前記カバーの前記上側部と凹凸の嵌め合いまたは面同士の接触により上下方向の複数位置で係合するカバー係合部を有し、
前記保持板の前記上板部は、前記基部の保持板係合部を上下方向の複数位置で保持可能なシール保持部を有し、
前記カバーの前記上側部は、前記上側シール部の基部のカバー係合部と凹凸の嵌め合いまたは面同士の接触により上下方向の複数位置で係合するシール係合部を有し、
前記シール部材は、前記保持板係合部の前記シール保持部に対する係合位置の変化に対応して、前記カバー係合部の前記シール係合部に対する係合位置が変化し、
前記シール部材の前記スライダ移動方向での位置の変化により前記リップ部の上下方向での位置が変化する直動案内装置のサイドシール。 
【発明の詳細な説明】
【技術分野】
【０００１】
この発明は、別々に形成されたシール部材と保持板とカバーとを有し、直動案内装置を構成するスライダの移動方向端部に固定して使用されるサイドシールに関する。
【背景技術】
【０００２】
直動案内装置の従来例を図９に示す。この直動案内装置は、案内レール１００とスライダ（「ベアリング」とも称される）２００と複数個のころ（転動体）３００とを備えている。案内レール１００およびスライダ２００は、互いに対向配置されてころ３００の転動通路を形成する転動面１１０，２１０を有する。
スライダ２００は、案内レール１００の長さ方向で、スライダ本体２０１と、その両端に固定されたエンドキャップ２０２と、さらにその両端に固定されたサイドシール２０３とに分けられる。転動面２１０はスライダ本体２０１に形成されている。スライダ２００の直動方向両端に配置されたサイドシール２０３は、スライダ２００と案内レール１００の上面および両側面との間をリップ部により密封する。
【０００３】
スライダ２００は、また、ころ３００の戻し通路２２１と、この戻し通路２２１と前記転動通路とを連通させる方向転換路２２２を有する。戻し通路２２１はスライダ本体２０１に、方向転換路２２２はエンドキャップ２０２に形成されている。スライダ２００の上面には、テーブル等をねじ止めで取り付けるための雌ねじ２０５が形成されている。
サイドシール２０３およびエンドキャップ２０２にグリースニップル４００の取り付け穴が形成されている。グリースニップル４００からエンドキャップ２０２の油路に潤滑剤が導入されて、直動案内装置の潤滑が行われる。サイドシール２０３およびエンドキャップ２０２はボルト５００でスライダ本体２０１に固定されている。案内レール１００には、基台等の被取付部に案内レール１００をボルトで取り付けるための取り付け穴１２０が形成されている。
【０００４】
この直動案内装置は、前記転動通路、戻し通路、および方向転換路で転動体の循環経路が構成され、循環経路内を循環するころ３００を介して、案内レール１００およびスライダ２００の一方が他方に対して相対的に直線運動する。
このような直動案内装置のサイドシールの従来例としては、金属製の保持板にゴム製のシール部材の基部が固定され、シール部材のリップ部を案内レールの上面および両側面に接触させて使用するものが挙げられる。また、サイドシールを、別々に形成されたシール部材、シール部材を保持する保持板、およびカバー（スクレーパ）で構成することも提案されている。
【０００５】
特許文献１には、サイドシールの保持板（ケース部）とリップ部（シールリップ）を有するシール部材（シール部）とを別部材で構成し、シール部材の保持板と反対側に、案内レールの外面と隙間を空けて対向配置されるスクレーパー部を設けることが記載されている。保持板とシール部は凹凸の嵌め合いで係合されている。このサイドシールによれば、先ずスクレーパー部で比較的大きな異物が排除されることで、シールリップの長寿命化および作動性向上が図られる。
【０００６】
特許文献２には、シール部材と保持板とカバーとからなるサイドシールにおいて、シール部材の防塵性および耐摩耗性の低下と保持板からの脱落を防止することを目的にして、保持板にシール部材の位置合せ部を設けるとともに、保持板の凹部とシール部材との間に隙間を設けることが記載されている。
【先行技術文献】
【特許文献】
【０００７】
【特許文献１】特開２００７−２１１９００号公報
【特許文献２】特許５３１６７００号公報
【発明の概要】
【発明が解決しようとする課題】
【０００８】
従来より、直動案内装置は、案内レールの上面にレールカバーを配置して使用される場合と、レールカバーを配置しないで使用する場合がある。レールカバーが配置されるとレールカバーの厚さの分だけ案内レールの上面が高い位置になる。よって、どちらの場合でも案内レールの上面に対するリップ部の締め代を同じにするためには、異なるサイドシールを使用する必要がある。
【０００９】
つまり、保持板にシール部材の基部が固定されたサイドシールの場合は、二個のサイドシールを用意する必要がある。また、別々に形成されたシール部材、シール部材を保持する保持板、およびカバー（スクレーパ）で構成されたサイドシールの場合は、シール部材を二種類用意する必要がある。
この発明の課題は、別々に形成されたシール部材と保持板とカバー（スクレーパ）とからなる直動案内装置のサイドシールとして、案内レールの上面にレールカバーが配置されている場合とレールカバーが配置されていない場合で、シール部材を交換せずに使用できるものを提供することである。
【課題を解決するための手段】
【００１０】
上記課題を解決するために、この発明の一態様の直動案内装置のサイドシールは、下記の構成(1) 〜(6) を有する。
(1) 別々に形成されたシール部材と保持板とカバーとを有する。直動案内装置を構成するスライダのスライダ移動方向端部に固定して使用される。前記保持板は前記カバーよりも前記スライダ側に配置され、前記シール部材は前記保持板と前記カバーとの間に配置されている。
(2) 前記シール部材は、前記直動案内装置を構成する案内レールの上面に接触させるリップ部を有する上側シール部と、案内レールの各側面に接触させるリップ部を有する各側方シール部とからなる。上側シール部および側方シール部は、前記保持板に保持される基部を有する。
【００１１】
(3) 前記保持板は、前記案内レールの上面および両側面と隙間を開けて対向する上板部および両側板部からなる。前記カバーは、前記案内レールの上面および両側面と隙間を開けて対向する上側部および両側方部からなる。
(4) 前記上側シール部の基部は、前記保持板の前記上板部と凹凸の嵌め合いにより上下方向の複数位置で係合する保持板係合部を厚さ方向の一面（スライダ側の面）に有するとともに、厚さ方向の他面（スライダと反対側の面）に、前記カバーの前記上側部と凹凸の嵌め合いまたは面同士の接触により上下方向の複数位置で係合するカバー係合部を有する。
【００１２】
(5) 前記保持板の前記上板部は、前記基部の保持板係合部を上下方向の複数位置で保持可能なシール保持部を有する。前記カバーの前記上側部は、前記上側シール部の基部のカバー係合部と凹凸の嵌め合いまたは面同士の接触により上下方向の複数位置で係合するシール係合部を有する。
(6) 前記シール部材は、前記保持板係合部の前記シール保持部に対する係合位置の変化に対応して、前記カバー係合部の前記シール係合部に対する係合位置が変化する。前記シール部材の前記スライダ移動方向での位置の変化により前記リップ部の上下方向での位置が変化する。 
【００１３】
この態様のサイドシールは、前記シール部材を一つだけ用い、前記シール部材の前記スライダ移動方向での位置を変化させて組み立てることにより、前記リップ部の上下方向での位置を変化させて使用することができる。
【発明の効果】
【００１４】
この発明のサイドシールは、別々に形成されたシール部材と保持板とカバー（スクレーパ）とからなる直動案内装置のサイドシールであって、案内レールの上面にレールカバーが配置されている場合とレールカバーが配置されていない場合で、シール部材を交換せずに使用することができる。
【図面の簡単な説明】
【００１５】
【図１】実施形態のサイドシール構成部品であるシール部材、保持板、カバーを示す斜視図である。
【図２】実施形態のシール部材を示す正面図である。
【図３】実施形態の複数種のシール部材を示す断面図（図２のＡ−Ａ断面図に相当）である。
【図４】実施形態の保持板を示す正面図である。
【図５】図４のＢ−Ｂ断面図である。
【図６】実施形態のカバーを示す断面図である。
【図７】実施形態のサイドシールを直動案内装置に取り付けた状態の案内レールの上側部分を示す断面図であって、（ａ）はレールカバーが配置されていない場合を、（ｂ）はレールカバーが配置されている場合を示す。
【図８】実施形態のサイドシールを直動案内装置に取り付けた状態の案内レールの側方部分を示す断面図（保持板は図４のＣ−Ｃ断面）であって、（ａ）はレールカバーが配置されていない場合を、（ｂ）はレールカバーが配置されている場合を示す。
【図９】直動案内装置の従来例を示す一部破断斜視図である。
【発明を実施するための形態】
【００１６】
以下、この発明の実施形態について説明するが、この発明はこの実施形態に限定されない。
この実施形態のサイドシール４は、前述の図９に示す直動案内装置のサイドシール２０３に代えて使用できるものであって、図１に示す形状のシール部材１、保持板２、およびカバー３からなる。保持板２はカバー３よりもスライダ側に配置される。
【００１７】
シール部材１は、図２に示すように、正面から見た配置で、案内レール１００（図９）の上側に配置される上側シール部１ａと、案内レール１００の左右各側に配置される側方シール部１ｂとに分けられる。
上側シール部１ａは、案内レール１００の上面に接触させるリップ部１１ａを有する。側方シール部１ｂは、案内レール１００の左右各側面に接触させるリップ部１１ｂを有する。上側シール部１ａおよび側方シール部１ｂは、保持板２に保持される基部１２を有する。つまり、シール部材１は、上側シール部１ａおよび側方シール部１ｂが案内レールと向かい合う各方向で、リップ部１１と基部１２とに分けられる。
【００１８】
図３に示すように、シール部材１の基部１２は、厚さ方向の一面（スライダ側の面）である第一面１３に、第一凹部（保持板係合部）１２１が形成されている。第一凹部１２１により基部１２が基端部１２２と先端部１２３とに分けられる。第一凹部１２１は、底部１２１ａと、基端部１２２側の壁面１２１ｂと、先端部１２３側の壁面１２１ｃとからなる。
【００１９】
基部１２の先端部１２３は、基端部１２２よりスライダ側に突出している。つまり、先端部１２３の第一面１３ａは、基端部１２２の第一面１３よりスライダ側にあり、先端部１２３の基端部１２２よりスライダ側に突出している角部１２３ａも、保持板係合部である。基部１２の厚さ方向の他面（スライダと反対側の面）である第二面１４は、基端部１２２と先端部１２３とで同じである。
【００２０】
上側シール部１ａでは、基部１２の先端部１２３の第二面１４に、第二凹部（カバー３と凹凸の嵌め合いで係合するカバー係合部）１２４が形成されている。側方シール部１ｂでは、基部１２の先端部１２３の第二面１４に、第二凹部１２４が形成されていない。また、シール部材１のリップ部１１は、第一面１３側から第二面１４側に傾斜している。
保持板２は、図１および図４に示すように、スライダ２００（図９）を構成するエンドキャップ２０２（図９）とほぼ同じ面形状を有し、案内レール１００の上側に配置される上板部２ａと、案内レール１００の左右各側に配置される側板部２ｂとからなる。上板部２ａには、ボルト５００（図９）を通す貫通穴５２とグリースニップル４００（図９）を取り付ける貫通穴４２が形成されている。側板部２ｂには、ボルト５００を通す貫通穴５２が形成されている。保持板２の内側（案内レール側）に、シール部材１の基部１２を保持するシール保持部２０が形成されている。
【００２１】
シール保持部２０は、図５に示すように、保持板２の上板部２ａでは、第一保持面２１と、第二保持面２２と、第三保持面２３と、第四保持面２４と、第五保持面２５と、第六保持面２６と、第七保持面２７と、第八保持面２８からなる。第一保持面２１は、シール部材１の最も外側（案内レールから離れる側）の面である第三面１５が接触可能な面である。第二保持面２２は、基端部１２２の第一面１３が接触可能な面である。
【００２２】
第三保持面２３は、シール部材１の凹部１２１の基端部１２２側の壁面１２１ｂが接触可能な面である。第四保持面２４は、シール部材１の凹部１２１の底面１２１ａが接触可能な面である。第五保持面２５および第七保持面２７は、シール部材１の凹部１２１の先端部１２３側の壁面１２１ｃが接触可能な面であり、第七保持面２７は第五保持面２５より案内レール側且つスライダ側に配置されている。
【００２３】
第三保持面２３、第四保持面２４、および第五保持面２５により、シール部材１の凹部１２１が嵌まる凸部２９が形成されている。第六保持面２６および第八保持面２８は、シール部材１の先端部１２３の第一面１３ａが接触可能な面である。
第二保持面２２、第四保持面２４、第六保持面２６、および第八保持面２８は、保持板２の板面と平行である。スライダの反対側からスライダ側に向けて、第四保持面２４、第六保持面２６、第二保持面２２、第八保持面２８の順に配置されている。第一保持面２１、第三保持面２３、第五保持面２５、および第七保持面２７は、保持板２の板面と直交し、案内レールの反対側から案内レール側に向けて、この順に配置されている。凸部２９は第二保持面２２からスライダの反対側（カバー側）に突出している。
【００２４】
すなわち、保持板２の上板部２ａでは、図４および図５に示すように、シール保持部２０の第五保持面２５と第六保持面２６とからなる第一凹部２９１と、第七保持面２７と第八保持面２８とからなる第二凹部２９２により、シール部材１の基部１２の角部（保持板係合部）１２３ａを、上下方向の二箇所で保持可能になっている。
側板部２ｂのシール保持部２０には、図４および図５に示すように、第一凹部２９１と第二凹部２９２の代わりに、第八保持面２８と第四保持面２４まで延長された第七保持面２７とからなる第三凹部２９３が形成されている。つまり、側板部２ｂのシール保持部２０には、第五保持面２５と第六保持面２６が形成されていない。また、第三保持面２３、第四保持面２４、および第七保持面２７により、シール部材１の凹部１２１が嵌まる凸部２９ａが形成されている。
【００２５】
カバー３は、図１に示すように、スライダ２００（図９）を構成するエンドキャップ２０２（図９）とほぼ同じ面形状を有し、案内レール１００（図９）の上面と隙間を開けて対向する上側部３１と、案内レール１００（図９）の左右各側面と隙間を開けて対向する上側部３２とからなる。上側部３１には、ボルト５００（図９）を通す貫通穴５３とグリースニップル４００（図９）を取り付ける貫通穴４３が形成されている。側方部３２には、ボルト５００（図９）を通す貫通穴５３が形成されている。
【００２６】
図６に示すように、上側部３１では、カバー３の厚さ方向の一面（スライダ側の面）である第一面３１ａに、シール部材１の第二凹部（カバー係合部）１２４に嵌合可能な凸部（シール係合部）３３が形成されている。側方部３２では、カバー３の第一面３１ａに凸部３３が形成されていない。また、カバー３の第一面３１ａの一部は、シール部材１の第二面（カバー係合部）１４と面同士の接触で係合するシール係合部である。
【００２７】
すなわち、カバー３の上側部３１は、凸部３３と第一面３１ａにより、シール部材１の基部１２の第二凹部１２４または第二面１４を、上下方向の二箇所で係合可能になっている。カバー３の上側部３１の凸部３３とシール部材１の第二凹部１２４は凹凸の嵌め合いで、カバー３の第一面３１ａとシール部材１の第二面１４は面同士の接触で係合する。
シール部材１は、ゴムまたは熱可塑性エラストマー製である。使用するゴムとしてはニトリルゴム、アクリルゴム、シリコーンゴム、フッ素ゴムが例示できる。熱可塑性エラストマーとしてはポリエステル系エラストマー、ウレタン系エラストマーが例示できる。保持板２はＰＯＭ（ポリオキシメチレン）等の合成樹脂製である。カバー３はＳＵＳ３０４等の金属製である。
【００２８】
この実施形態のサイドシール４は、図７および図８に示すようにして使用される。
案内レール１００の上面１０１にレールカバー５を配置しないで直動案内装置を使用する場合には、図７（ａ）および図８（ａ）に示すように、シール部材１の基端部１２２の第一面１３を保持板２の第二保持面２２に接触させ、先端部１２３の第一面１３ａを第八保持面２８に接触させ、カバー３の第一面３１ａを保持板２のシール保持部２０が形成されている面に接触させることで、サイドシール４を組み立てる。そして、カバー３の貫通穴５３と保持板２の貫通穴５２を挿通させたボルトで、サイドシール４をスライダ２２０に固定する。これにより、上側シール部１ａのリップ部１１ａは案内レール１００の上面１０１に接触し、側方シール部１ｂのリップ部１１ｂは案内レール１００の側面１０２および転動面１１０に接触する。
【００２９】
この状態で、案内レールの上側部分を示す断面では、図７（ａ）に示すように、カバー３の凸部３３の先端がシール部材１の第二面１４に接触する。また、シール部材１の角部１２３ａが第二凹部２９２に嵌まり、保持板２の凸部２９がシール部材１の凹部１２１に嵌まる。また、シール部材１の第三面１５と保持板２の第一保持面２１との間、シール部材１の第二面１４とカバー３の第一面３１ａとの間、シール部材１の基部１２の先端部１２３と保持板２の第一凹部２９１との間には、それぞれ隙間が存在する。
【００３０】
案内レールの側方部分を示す断面では、図８（ａ）に示すように、シール部材１の角部１２３ａが第三凹部２９３に嵌まり、保持板２の凸部２９ａがシール部材１の凹部１２１に嵌まる。また、シール部材１の第三面１５と保持板２の第一保持面２１との間、シール部材１の第二面１４とカバー３の第一面３１ａとの間には、それぞれ隙間が存在する。
案内レール１００の上面１０１にレールカバー５を配置して直動案内装置を使用する場合には、サイドシール４の組立時に、案内レールの上側に配置される部分では、図７（ｂ）に示すように、シール部材１の凹部１２４にカバー３の凸部３３を嵌め、シール部材１の第二面１４をカバー３の第一面３１ａに接触させる。案内レールの側方に配置される部分では、図８（ｂ）に示すように、シール部材１の第二面１４をカバー３の第一面３１ａに接触させる。そして、カバー３の貫通穴５３と保持板２の貫通穴５２を挿通させたボルトで、サイドシール４をスライダ２２０に固定する。これにより、上側シール部１ａのリップ部１１ａはレールカバー５の上に接触し、側方シール部１ｂのリップ部１１ｂは案内レール１００の側面１０２および転動面１１０に接触する。
【００３１】
この状態で、案内レールの上側部分を示す断面では、図７（ｂ）に示すように、シール部材１の第三面１５が保持板２の第一保持面２１に接触し、シール部材１の角部１２３ａが保持板２の第一凹部２９１に嵌まる。シール部材１の基部１２の基端部１２２と保持板２の第二保持面２２との間、シール部材１の第一面１３ａと保持板の第八保持面２８との間、および保持板２の凸部２９とシール部材１の凹部１２１との間に、それぞれ隙間が存在する。
【００３２】
案内レールの側方部分を示す断面では、図８（ｂ）に示すように、シール部材１の第三面１５と保持板２の第一保持面２１との間に隙間が存在する。また、シール部材１の角部１２３ａが保持板２の第三凹部２９３の手前側（カバー３側）に接触する。シール部材１の第一面１３ａと保持板の第八保持面２８との間、保持板２の凸部２９ａとシール部材１の凹部１２１との間にも、それぞれ隙間が存在する。
【００３３】
上述のように、この実施形態のサイドシール４は、シール部材１を一つだけ用い、シール部材１のスライダ移動方向での位置を変化させて組み立てることにより、リップ部１１の上下方向での位置を変化させて使用することができる。そのため、案内レール１００の上面１０１にレールカバー５が配置されている場合とレールカバー５が配置されていない場合で、シール部材１を交換せずに使用することができる。
【符号の説明】
【００３４】
１  シール部材
１ａ  上側シール部
１ｂ  側方シール部
１１  リップ部
１１ａ  案内レールの上面に接触させるリップ部
１１ｂ  案内レールの側面に接触させるリップ部
１２  基部
１２１  シール部材の第一凹部（保持板係合部）
１２１ａ  第一凹部の底部
１２１ｂ  第一凹部の基端部側の壁面
１２１ｃ  先端部側の壁面
１２２  基部の基端部
１２３  基部の先端部
１２３ａ  先端部の角部（保持板係合部）
１２４  シール部材の第二凹部（凹凸の嵌め合いで係合するカバー係合部）
１３  シール部材の第一面（厚さ方向の一面）
１３ａ  シール部材の先端部の第一面
１４  第二面（厚さ方向の他面、面同士の接触で係合するカバー係合部）
１５  シール部材の第三面
２  保持板
２ａ  保持板の上側部
２ｂ  保持板の側方部
２０  シール保持部
２１  第一保持面
２２  第二保持面
２３  第三保持面
２４  第四保持面
２５  第五保持面
２６  第六保持面
２７  第七保持面
２８  第八保持面
２９  凸部
２９ａ  凸部
２９１  シール保持部の第一凹部
２９２  シール保持部の第二凹部
２９３  シール保持部の第三凹部
３  カバー
３１  カバーの上側部
３２  カバーの側方部
４  サイドシール
５  レールカバー
４２  グリースニップルを取り付ける貫通穴
４３  グリースニップルを取り付ける貫通穴
５２  ボルトを通す貫通穴
５３  ボルトを通す貫通穴
１００  案内レール
１０１  案内レールの上面
１１０  案内レールの転動面
２００  スライダ
２０１  スライダ本体
２０２  エンドキャップ
２０３  サイドシール
２０５  雌ねじ
２１０  スライダの転動面
２２１  戻し通路
２２２  方向転換路
３００  ころ（転動体）
４００  グリースニップル
５００  ボルト
【図１】
2015178841.tif 000003
【図２】
2015178841.tif 000004
【図３】
2015178841.tif 000005
【図４】
2015178841.tif 000006
【図５】
2015178841.tif 000007
【図６】
2015178841.tif 000008
【図７】
2015178841.tif 000009
【図８】
2015178841.tif 000010
【図９】
2015178841.tif 000011